(57)【要約】【課題】２つの撮影手段を備える撮影装置において、無駄な撮影を制限することを目的とする。【解決手段】第１の撮影手段と、第２の撮影手段を有する撮影装置であって、第１の撮影手段により撮影されたスルー画像を表示するための表示手段と、第１の撮影手段により撮影された画像を記録するための撮影指示を受け付ける受付手段と、撮影指示を受け付けたことに応じて、第１の撮影手段により撮影された画像および第２の撮影手段により撮影された画像を記録媒体に記録するように制御する制御手段と、を有し、制御手段は、表示手段にスルー画像が表示されていない場合には、第２の撮影手段により撮影される画像を記録媒体に記録しないように制御する。【選択図】図２
2015133601.tif 000002
【特許請求の範囲】
【請求項１】
第１の撮影手段と、第２の撮影手段を有する撮影装置であって、
前記第１の撮影手段により撮影されたスルー画像を表示するための表示手段と、
前記第１の撮影手段により撮影された画像を記録するための撮影指示を受け付ける受付手段と、
前記撮影指示を受け付けたことに応じて、前記第１の撮影手段により撮影された画像および前記第２の撮影手段により撮影された画像を記録媒体に記録するように制御する制御手段と、を有し、
前記制御手段は、前記表示手段に前記スルー画像が表示されていない場合には、前記第２の撮影手段により撮影される画像を前記記録媒体に記録しないように制御することを特徴とする撮影装置。
【請求項２】
前記制御手段は、前記表示手段に前記スルー画像が表示されていない場合には、前記第２の撮影手段による撮影を行わないように制御することを特徴とする請求項１に記載の撮影装置。
【請求項３】
前記制御手段は、前記表示手段に前記スルー画像が表示されている場合には、前記撮影指示を受け付けたことに応じて、前記第１の撮影手段により撮影された画像および前記第２の撮影手段により撮影された画像を前記記録媒体に記録するように制御することを特徴とする請求項１又は２に記載の撮影装置。
【請求項４】
ユーザからのスルー画像の表示切り替え操作に応じて、前記スルー画像を前記表示手段に表示するか否かを切り替える切り替え手段と有することを特徴とする請求項１乃至３何れか１項に記載の撮影装置。
【請求項５】
ファインダへの接眼を検出するための検出手段を有し、
前記制御手段は、前記検出手段による検出結果に応じて、前記第１の撮影手段により撮影された画像を記録するための撮影指示に応じて前記第２の撮影手段により撮影された画像を記録するか否かを切り替えることを特徴とする請求項１乃至４何れか１項に記載の撮影装置。
【請求項６】
前記表示手段は前記撮影装置に対して回転可能であり、
前記制御手段は、前記表示手段の回転に応じて、前記第１の撮影手段により撮影された画像を記録するための撮影指示に応じて前記第２の撮影手段により撮影された画像を記録するか否かを切り替えることを特徴とする請求項１乃至４何れか１項に記載の撮影装置。
【請求項７】
前記表示手段は、前記撮影装置に対して２軸周りに回転可能であることを特徴とする請求項６に記載の撮影装置。
【請求項８】
第１の撮影手段により撮影した画像を取得する第１の取得工程と、
第２の撮影手段により撮影した画像を取得する第２の取得工程と、
前記第１の撮影手段により撮影したスルー画像を表示手段に表示するための表示工程と、
前記第１の撮影手段により撮影した画像を記録するための撮影指示を受け付ける受付工程と、
前記撮影指示を受け付けたことに応じて、前記第１の撮影手段により撮影された画像および前記第２の撮影手段により撮影された画像を記録媒体に記録するように制御する制御工程と、
前記表示手段に前記スルー画像を表示するか否かを切り替える表示制御工程と、を含み、
前記制御工程では、前記表示手段に前記スルー画像を表示していない場合には、前記第２の撮影手段により撮影される画像を前記記録媒体に記録しないことを特徴とする画像記録装置の制御方法。
【請求項９】
コンピュータに、
第１の撮影手段により撮影した画像を取得する第１の取得工程と、
第２の撮影手段により撮影した画像を取得する第２の取得工程と、
前記第１の撮影手段により撮影したスルー画像を表示手段に表示するための表示工程と、
前記第１の撮影手段により撮影した画像を記録するための撮影指示を受け付ける受付工程と、
前記撮影指示を受け付けたことに応じて、前記第１の撮影手段により撮影された画像および前記第２の撮影手段により撮影された画像を記録媒体に記録するように制御する制御工程と、
前記表示手段に前記スルー画像を表示するか否かを切り替える表示制御工程と、を実行させ、
前記制御工程では、前記表示手段に前記スルー画像を表示していない場合には、前記第２の撮影手段により撮影される画像を前記記録媒体に記録しないことを特徴とするプログラム。
【請求項１０】
請求項９に記載のプログラムを記録したコンピュータにより読み取り可能な記録媒体。
【発明の詳細な説明】
【技術分野】
【０００１】
本発明は、撮影装置、画像記録装置の制御方法及びプログラムに関する。
【背景技術】
【０００２】
従来、携帯電話やスマートフォン等、通常のカメラ（以下、アウトカメラと称する）に加え、内側に向けられたカメラ(以下、インカメラと称する)を備えた電子機器が普及している。インカメラは、通常、撮影者の顔を撮影すべく、撮影者の方向を向くように配置されている。
インカメラを備える電子機器では、一度のレリーズ操作で、アウトカメラ及びインカメラのシャッターを同時に切ることが可能であり、インカメラ及びアウトカメラそれぞれの撮影画像を関連付けて記録することができる（特許文献１参照)。
また、電子機器本体に対し、回転や移動が可能なインカメラも知られている。例えば、特許文献２には、インカメラが回転可能であり、インカメラをアウトカメラと同じ向きに向けて撮影することのできるビデオカメラが開示されている。
【先行技術文献】
【特許文献】
【０００３】
【特許文献１】特開２０１１−２１７１２１号公報
【特許文献２】特開２００４−９６７３２号公報
【発明の概要】
【発明が解決しようとする課題】
【０００４】
しかしながら、ファインダを備えたデジタルカメラにおいて、撮影者がファインダを覗いて撮影した場合には、インカメラでは、撮影者のおでこが撮影対象となるため、インカメラによる撮影は無駄になってしまう。また、アウトカメラとインカメラが同じ方向を向いている場合には、似たような２つの撮影画像が得られることとなり、一方は無駄な画像となってしまう。
【０００５】
本発明はこのような問題点に鑑みなされたもので、２つの撮影手段を備える撮影装置において、無駄な撮影を制限することを目的とする。
【課題を解決するための手段】
【０００６】
そこで、本発明は、第１の撮影手段と、第２の撮影手段を有する撮影装置であって、前記第１の撮影手段により撮影されたスルー画像を表示するための表示手段と、前記第１の撮影手段により撮影された画像を記録するための撮影指示を受け付ける受付手段と、前記撮影指示を受け付けたことに応じて、前記第１の撮影手段により撮影された画像および前記第２の撮影手段により撮影された画像を記録媒体に記録するように制御する制御手段と、を有し、前記制御手段は、前記表示手段に前記スルー画像が表示されていない場合には、前記第２の撮影手段により撮影される画像を前記記録媒体に記録しないように制御することを特徴とする。
【発明の効果】
【０００７】
本発明によれば、２つの撮影手段を備える撮影装置において、無駄な撮影を制限することができる。
【図面の簡単な説明】
【０００８】
【図１】第１の実施形態にかかるデジタルカメラを示す図である。
【図２】第２の実施形態にかかるデジタルカメラを示す図である。
【図３】表示ユニットの状態を説明するための図である。
【図４】処理を示すフローチャートである。
【図５】第１の実施形態にかかる撮影モード処理を示すフローチャートである。
【図６】第２の実施形態にかかるデジタルカメラを示す図である。
【図７】第２の実施形態にかかる撮影モード処理を示すフローチャートである。
【図８】第３の実施形態にかかる撮影モード処理を示すフローチャートである。
【発明を実施するための形態】
【０００９】
以下、本発明の実施形態について図面に基づいて説明する。
【００１０】
（第１の実施形態）
図１は、撮影装置の一例としてのデジタルカメラ１００の外観図である。図１には、デジタルカメラ１００の裏面側を示している。デジタルカメラ１００は、主に被写体を撮影するアウトカメラ１１０と、撮影者を撮影することのできる、可動式のインカメラ１２０とを備えている。
アウトカメラ１１０は、デジタルカメラ１００の本体１０１に設けられている。インカメラ１２０は、表示ユニット１０２に設けられている。表示ユニット１０２は、ヒンジ部（連結部）１３１を介して本体１０１と接続する。インカメラ１２０は、表示ユニット１０２と共に、ヒンジ部１３１を軸として移動することができる。したがって、ユーザは、表示ユニット１０２を動かすことにより、アウトカメラ１１０の撮影方向を固定しつつ、インカメラ１２０の撮影方向を調整することができる。なお、アウトカメラ１１０及びインカメラ１２０は、それぞれ第１の撮影手段及び第２の撮影手段の一例である。
【００１１】
表示ユニット１０２は、インカメラ１２０と表示部１３０とを有している。表示ユニット１０２は、ヒンジ部１３１を軸として回転、移動することができる。すなわち、ヒンジ部１３１は、表示ユニット１０２がデジタルカメラ１００の本体１０１に対して、左右方向、上下方向の２軸周りに回転することを可能とする。表示部１３０は、バリアングルＬＣＤである。表示部１３０は、画像や各種情報を表示する。
シャッターボタン１３２は、撮影指示を行うための操作部である。モード切替スイッチ１３３は、デジタルカメラ１００の動作モードを切り替えるための操作部である。画像表示スイッチ１３４は、表示部１３０にスルー画像を表示する電子ビューファインダのＯＮＮ／ＯＦＦを切り替える操作部材である。電源スイッチ１３５は、電源のＯＮ／ＯＦＦを切り替える。操作部１３６は、ユーザからの各種操作を受け付ける各種スイッチ、ボタン等の操作部材を有している。コントローラホイール１３７は、操作部１３６に含まれる回転操作可能な操作部材である。
【００１２】
１３８は接眼ファインダである。接眼ファインダ１３８は、光学ファインダである。なお、他の例としては、接眼ファインダ１３８は、電子ビューファインダ（ＥＶＦ）であってもよい。コネクタ１３９は、接続ケーブル１４０とデジタルカメラ１００とのコネクタである。記録媒体１４１は、メモリカードやハードディスク等の記録媒体である。記録媒体１４１は、撮影された画像等を記録する。記録媒体スロット１４２は、記録媒体１４１を格納するためのスロットである。記録媒体スロット１４２に格納された記録媒体１４１は、デジタルカメラ１００との通信が可能となる。蓋１４３は記録媒体スロット１４２の蓋である。
【００１３】
図２は、デジタルカメラ１００を示すブロック図である。アウトカメラ１１０は、撮影レンズ１１１と、シャッター１１２と、撮像部１１３とを有している。撮影レンズ１１１は、ズームレンズ、フォーカスレンズを含むレンズ群である。シャッター１１２は、絞り機能を備えるシャッターである。撮像部１１３は、光学像を電気信号に変換するＣＣＤやＣＭＯＳ素子等で構成される撮像素子である。バリア１５０は、撮影レンズ１１１を含む撮像系を覆うことにより、撮影レンズ１１１、シャッター１１２、撮像部１１３を含む撮像系の汚れや破損を防止する。
インカメラ１２０は、アウトカメラ１１０と同様に、撮影レンズ１２１と、シャッター１２２と、撮像部１２３とを有している。撮影レンズ１２１、シャッター１２２及び撮像部１２３は、それぞれ撮影レンズ１１１、シャッター１１２及び撮像部１１３と同様である。
Ａ／Ｄ変換器１５１は、アナログ信号をデジタル信号に変換する。Ａ／Ｄ変換器１５１は、アウトカメラ１１０の撮像部１１３から出力される信号変換だけでなく、同時にインカメラ１２０の撮像部１２３から出力されるアナログ信号をデジタル信号に変換する。
【００１４】
画像処理部１５２は、Ａ／Ｄ変換器１５１から受け取ったデータ、又はメモリ制御部１５３から受け取ったデータに対し、所定の画素補間、縮小といったリサイズ処理や色変換処理を行う。画像処理部１５２はまた、撮影された画像データに対し、所定の演算処理を行う。
演算処理の結果は、システム制御部１５７により利用される。すなわち、システム制御部１５７は、演算結果に基づいて、露光制御や測距制御を行う。システム制御部１５７は、例えば、ＴＴＬ（スルー・ザ・レンズ）方式のＡＦ（オートフォーカス）処理、ＡＥ（自動露出）処理、ＥＦ（フラッシュプリ発光）処理、ＡＷＢ（オートホワイトバランス）処理を行う。
【００１５】
Ａ／Ｄ変換器１５１からの出力データは、画像処理部１５２及びメモリ制御部１５３を介して、或いは、メモリ制御部１５３を介してメモリ１５４に直接書き込まれる。メモリ１５４は、撮像部１１３，１２３によって得られ、Ａ／Ｄ変換器１５１によりデジタルデータに変換された画像データや、表示部１３０に表示するための画像データを格納する。メモリ１５４は、所定枚数の静止画像や所定時間の動画像および音声を格納するのに十分な記憶容量を備えているものとする。また、メモリ１５４は、画像表示用のメモリ（ビデオメモリ）を兼ねている。
Ｄ／Ａ変換器１５５は、メモリ１５４に格納されている画像表示用のデータをアナログ信号に変換して表示部１３０に供給する。こうして、メモリ１５４に書き込まれた表示用の画像データはＤ／Ａ変換器１５５を介して表示部１３０により表示される。
表示部１３０は、ＬＣＤ等の表示器上に、Ｄ／Ａ変換器１５５からのアナログ信号に応じた表示を行う。不揮発性メモリ１５６は、電気的に消去・記録可能なメモリである。不揮発性メモリ１５６として、例えばＥＥＰＲＯＭ等が用いられる。不揮発性メモリ１５６には、システム制御部１５７の動作用の定数、プログラム等が記憶される。ここでいう、プログラムとは、本実施形態にて後述する各種フローチャートを実行するためのプログラムのことである。
【００１６】
システム制御部１５７は、例えばＣＰＵであり、デジタルカメラ１００全体を制御する。システム制御部１５７は、前述した不揮発性メモリ１５６に記録されたプログラムを実行することで、後述する本実施形態の各処理を実現する。システム制御部１５７は例えば、メモリ１５４、Ｄ／Ａ変換器１５５、表示部１３０等を制御することにより表示制御を行う。
より具体的には、システム制御部１５７は、Ａ／Ｄ変換器１５１によって一度Ａ／Ｄ変換されメモリ１５４に蓄積されたデジタル信号をＤ／Ａ変換器１５５においてアナログ変換し、表示部１３０に逐次転送して表示する。これにより、表示部１３０は、電子ビューファインダとして機能し、スルー画像を表示することができる。
システムメモリ１５８には、システム制御部１５７の動作用の定数、変数、不揮発性メモリ１５６から読み出したプログラム等を展開する。システムメモリ１５８には、例えばＲＡＭが用いられる。システムタイマー１５９は、各種制御に用いる時間や、内蔵された時計の時間を計測する計時部である。
【００１７】
モード切替スイッチ１３３、第１シャッタースイッチ１６１、第２シャッタースイッチ１６２、操作部１３６は、システム制御部１５７に各種の動作指示を入力するための操作手段である。モード切替スイッチ１３３は、システム制御部１５７の動作モードを静止画撮影モード、動画撮影モード、再生モードのいずれかに切り替える。静止画撮影モードは、静止画を撮影するモードである。動画撮影モードは、動画を撮影するモードである。
静止画撮影モードはさらに複数のモードを有している。本実施形態においては、静止画撮影モードは、オート撮影モード、オートシーン判別モード、マニュアルモード、各種シーンモード、プログラムＡＥモード、カスタムモード、同時撮影モードを有している。
【００１８】
ここで、各種シーンモードとは、撮影シーン別の撮影設定に応じた撮影を行うモードである。同時撮影モードは、アウトカメラ１１０とインカメラ１２０の両方で同時に撮影を行うモードである。
ユーザは、モード切替スイッチ１３３を操作することにより、静止画撮影モードに含まれる各モードの設定指示を入力することができる。また、他の例としては、ユーザは、モード切替スイッチ１３３により静止画撮影モードに切り替え、さらに他の操作部材を用いて、静止画撮影モードに含まれる各モードを選択することとしてもよい。動画撮影モードも、静止画撮影モードと同様に複数のモードを有している。
【００１９】
第１シャッタースイッチ１６１は、デジタルカメラ１００に設けられたシャッターボタン１３２の操作途中、いわゆる半押し（撮影準備指示）でＯＮとなる。そして、第１シャッタースイッチ１６１は、ＯＮとなった場合に、第１シャッタースイッチ信号ＳＷ１をシステム制御部１５７に入力する。システム制御部１５７は、第１シャッタースイッチ信号ＳＷ１が入力されると、アウトカメラ１１０のＡＦ処理、ＡＥ処理、ＡＷＢ処理、ＥＦ処理等の撮影準備処理を開始する。
第１シャッタースイッチ信号ＳＷ１が入力されたときに、動作モードが同時撮影モードに設定されていたとする。この場合、システム制御部１５７は、アウトカメラ１１０の処理と並行して、インカメラ１２０の撮影準備処理を開始する。
【００２０】
第２シャッタースイッチ１６２は、シャッターボタン１３２の操作完了、いわゆる全押し（撮影指示）でＯＮとなり、第２シャッタースイッチ信号ＳＷ２をシステム制御部１５７に入力する。システム制御部１５７は、第２シャッタースイッチ信号ＳＷ２が入力されると、アウトカメラ１１０による撮影に係る処理を行う。具体的には、システム制御部１５７は、アウトカメラ１１０の撮像部１１３から信号を読み出し、記録媒体１４１に画像データを書き込むまでの一連の撮影処理を開始する。
第２シャッタースイッチ信号ＳＷ２が入力されたときに、動作モードが同時撮影モードに設定されていたとする。この場合、システム制御部１５７は、アウトカメラ１１０による撮影に係る処理と並行して、インカメラ１２０による撮影に係る処理を行う。具体的には、システム制御部１５７は、インカメラ１２０の撮像部１２３から信号を読み出し、記録媒体１４１に画像データを書き込むまでの一連の撮影処理を開始する。
【００２１】
操作部１３６の各操作部材は、表示部１３０に表示される種々の機能アイコンと関連付けられて、場面毎に適宜各種機能が割り当てられ、各種機能ボタンとして作用する。機能ボタンとしては、例えば、終了ボタン、戻るボタン、画像送りボタン、ジャンプボタン、絞込みボタン、属性変更ボタン等がある。
ユーザにより、メニューボタンが押された場合には、表示部１３０は、設定可能なメニュー画面を表示する。ユーザは、表示部１３０に表示されたメニュー画面と、上下左右の４方向ボタンやＳＥＴボタンとを用いて直感的に各種設定を行うことができる。
【００２２】
コントローラホイール１３７は、操作部１３６に含まれる回転操作可能な操作部材であり、方向ボタンと共に、ユーザによる項目の選択を受け付ける。ユーザによる、コントローラホイール１３７の回転操作が行われると、システム制御部１５７には、操作量に応じた電気的なパルス信号が入力される。
システム制御部１５７は、このパルス信号に基づいて、コントローラホイール１３７が回転操作された角度や、何回転したかなどを判定することができる。システム制御部１５７は、このパルス信号に基づいて、デジタルカメラ１００の各部を制御する。
【００２３】
なお、コントローラホイール１３７は、回転操作を検出可能な操作部材であればよく、具体的な構成は実施の形態に限定されるものではない。他の例としては、コントローラホイール１３７は、ユーザの回転操作に応じて回転し、パルス信号を発生するダイヤル操作部材であってもよい。
また他の例としては、コントローラホイール１３７は、いわゆるタッチホイールであってもよい。この場合、コントローラホイール１３７は、回転せず、コントローラホイール１３７上でのユーザの指の回転動作などを検出する。
【００２４】
画像表示スイッチ１３４は、ユーザからのスルー画像の表示切り替え操作に応じて、表示部１３０のＯＮ／ＯＦＦを切り替える。表示部１３０は、ＯＮされると、スルー画像を表示する。すなわち、この場合、表示部１３０は、電子ビューファインダ（ＥＶＦ）として利用される。一方、表示部１３０はＯＦＦされると、スルー画像の表示を停止するとともにＬＣＤ等からなる表示部１３０の電源を切断する。なお、スルー画像が表示されていない場合には、ユーザは、接眼ファインダ１３８を用いて撮影することができる。接眼ファインダ１３８は、光学ファインダ（ＯＶＦ）である。
検出部１６３は、ヒンジ部１３１を介して可動する表示ユニット１０２の向いている方向を検出する。
【００２５】
電源制御部１６４は、電池検出回路、ＤＣ−ＤＣコンバータ、通電するブロックを切り替えるスイッチ回路等を有している。電源制御部１６４は、電池の装着の有無、電池の種類、電池残量の検出を行う。電源制御部１６４はまた、検出結果と、システム制御部１５７の指示とに基づいて、ＤＣ−ＤＣコンバータを制御し、必要な電圧を必要な期間、記録媒体１４１を含む各部へ供給する。
電源部１６５は、アルカリ電池やリチウム電池等の一次電池やＮｉＣｄ電池やＮｉＭＨ電池、Ｌｉ電池等の二次電池、ＡＣアダプター等を有している。記録媒体Ｉ/Ｆ１６６は、記録媒体１４１とのインターフェースである。
接眼ファインダ１３８は、いわゆる光学ファインダである。ユーザは、表示部１３０による電子ファインダ機能を使用することなく、撮影を指示することが可能である。接眼ファインダ１３８は、システム制御部１５７の制御により、各種情報を表示することができる。接眼ファインダ１３８は、例えば、合焦表示、手振れ警告表示、フラッシュ充電表示、シャッタースピード表示、絞り値表示、露出補正表示を表示することができる。接眼ファインダ１３８はまた、インカメラ画像が記録されないことを通知するための警告通知を表示することができる。
【００２６】
図３は、表示ユニット１０２の位置を説明するための図である。表示ユニット１０２は、ヒンジ部１３１を軸として、デジタルカメラ１００の左右方向及び上下方向の方向に回転移動することができ、回転移動により、正位置、反転状態、開状態及び閉状態の４つの状態をとることができる。
図３（ａ）は、正位置を示す図である。正位置は、デジタルカメラ１００の本体１０１に表示部１３０の裏面が対向するように表示ユニット１０２が配置された状態である。正位置においては、表示部１３０にはスルー画像が表示される。正位置において、インカメラ１２０の撮影方向は、アウトカメラ１１０の撮影方向と逆の方向となる。すなわち、正位置において、シャッターボタン１３２が押下された場合には、インカメラ１２０は撮影者側を撮影する。
【００２７】
図３（ｂ），（ｃ）は、反転状態を示す図である。図３（ｂ）に示すように、反転状態は、表示ユニット１０２が、正位置から、ヒンジ部１３１を軸として、デジタルカメラ１００の正面側に向けて回転した状態である。図３（ｃ）は、反転状態のデジタルカメラ１００の正面図である。図３（ｃ）に示すように、反転状態において、表示ユニット１０２に配置されたインカメラ１２０は、正面側を向いている。すなわち、インカメラ１２０とアウトカメラ１１０の撮影方向は、ほぼ等しくなる。なお、反転状態において、表示部１３０には、被写体側の撮影画像であるスルー画像が表示される。
【００２８】
図３（ｄ）は、開状態を示す図である。図３（ｂ）に示すように、開状態は、反転状態の表示ユニット１０２がヒンジ部１３１を軸として、デジタルカメラ１００の上下方向に１８０°回転した状態である。開状態において、表示部１３０にはスルー画像が表示される。開状態において、表示ユニット１０２に配置されたインカメラ１２０の撮影方向は、アウトカメラ１１０の撮影方向と逆の方向となる。
図３（ｅ）は、閉状態を示す図である。図３（ｅ）に示すように、閉状態は、開状態の表示ユニット１０２をヒンジ部１３１を軸としてデジタルカメラ１００の左右方向に回転した状態である。閉状態において、表示部１３０は、デジタルカメラ１００の本体１０１に対向している。すなわち、閉状態においては、ユーザは、表示部１３０を見ることができない。したがって、ユーザは、閉状態においては、スルー画像を用いた撮影を行うことはできず、この場合、接眼ファインダ１３８から被写体を確認して、撮影を行う。
【００２９】
なお、本実施形態においては、インカメラ１２０を有する表示ユニット１０２は、ヒンジ部１３１を軸として、２軸方向に回転可能に設けられているが、インカメラ１２０を可動式とするための構成は実施の形態に限定されるものではない。他の例としては、インカメラ１２０は、本体１０１に対し、スライド及び回転可能な可動部材上に設けられていてもよい。
【００３０】
図４は、デジタルカメラ１００の、起動から電源オフまでの処理の概略を示すフローチャートである。デジタルカメラ１００のシステム制御部１５７は、電源ＯＮされると、Ｓ４０１において、動作モードを特定する。なお、動作モードは、モード切替スイッチ１３３の位置に応じて設定されている。システム制御部１５７は、Ｓ４０１において、静止画撮影モード又は動画撮影モード（以下、単に撮影モードと称する）が特定された場合（Ｓ４０１でＹＥＳ）、処理をＳ４１０へ進める。Ｓ４１０において、システム制御部１５７は、撮影モード処理を行い、その後処理をＳ４０５へ進める。なお、撮影モード処理については、図５を参照しつつ後述する。
システム制御部１５７は、特定した動作モードが再生モードである場合には（Ｓ４０１でＮＯ、Ｓ４０２でＹＥＳ）、処理をＳ４０３へ進める。Ｓ４０３において、システム制御部１５７は、再生モード処理を行い、その後処理をＳ４０５へ進める。具体的には、システム制御部１５７は、再生モード処理として、画像閲覧や、拡大表示、画像を消去する処理などを行う。
【００３１】
Ｓ１５７は、特定した動作モードが、撮影モード及び再生モード以外の動作モードである場合には（Ｓ４０１でＮＯ、Ｓ４０２でＮＯ）、処理をＳ４０４へ進める。Ｓ４０４において、システム制御部１５７は、特定した動作モードに応じた処理を行い、その後処理をＳ４０５へ進める。撮影モード及び再生モード以外の動作モードとしては、例えば、時計表示モードがある。時計表示モードに設定されている場合には、システム制御部１５７は、Ｓ４０４において、現在時刻を表示する処理を行う。
Ｓ４０５において、システム制御部１５７は、デジタルカメラ１００の電源をＯＦＦするか否かを判定する。Ｓ１５７は、電源をオフすると判定した場合（Ｓ４０５でＹＥＳ）、処理を終了する。Ｓ１５７は、電源をオフしないと判定した場合（Ｓ４０５でＮＯ）、処理をＳ４０１へ進める。
【００３２】
図５は、撮影モード処理（Ｓ４１０）における詳細な処理を示すフローチャートである。Ｓ５０１において、システム制御部１５７は、画像表示スイッチ１３４の状態を判別する。画像表示スイッチ１３４がＯＮであれば（Ｓ５０１でＯＮ）、処理をＳ５０２へ進める。Ｓ５０２において、システム制御部１５７は、表示部１３０にスルー画像を表示する（表示処理）。次に、Ｓ５０３において、システム制御部１５７は、ＤＩＳＰモード（撮影モード）をＥＶＦに設定する。ここで、ＥＶＦは、ユーザが電子ファインダー（スルー画像）において被写体を確認して撮影を行うモードである。
次に、Ｓ５０４において、システム制御部１５７は、検出部１６３により検出された方向に基づいて、表示ユニット１０２の状態を特定する。システム制御部１５７は、表示ユニット１０２の状態が閉状態である場合には（Ｓ５０４で閉状態）、処理をＳ５１０へ進める。システム制御部１５７は、表示ユニット１０２の状態が反転状態である場合には（Ｓ５０４で反転状態）、処理をＳ５１４へ進める。システム制御部１５７は、表示ユニット１０２の状態が正位置又は開状態である場合には（Ｓ５０４で正位置又は開位置）、処理をＳ５０５へ進める。
【００３３】
Ｓ５１４において、システム制御部１５７は、ユーザに、インカメラ１２０による撮影を行わない旨の警告通知を表示部１３０に一定時間表示し、処理をＳ５０５へ進める。なお、警告通知を表示する時間は、任意である。反転状態においては、アウトカメラ１１０とインカメラ１２０も、被写体の方向を向いているため、アウトカメラ１１０とインカメラ１２０により撮影される撮影画像は同様の画像となってしまう。そこで、この場合には、システム制御部１５７は、インカメラ１２０による撮影を行わないこととし、Ｓ５１４において、警告通知を表示することにより、撮影者にインカメラ撮影を行わないことを通知することができる。
また、システム制御部１５７は、Ｓ５０１において、画像表示スイッチ１３４がＯＦＦである場合には（Ｓ５０１でＯＦＦ）、処理をＳ５１０へ進める。Ｓ５１０においても、システム制御部１５７は、Ｓ５１４の処理と同様に、警告通知を表示部１３０に一定時間表示する。
【００３４】
次に、Ｓ５１１において、システム制御部１５７は、スルー画像が表示されている場合には、スルー画像の表示をＯＦＦする。次に、Ｓ５１２において、システム制御部１５７は、警告表示から一定時間が経過すると、表示部１３０の表示（警告表示）をＯＦＦする。次に、Ｓ５１３において、システム制御部１５７は、ＤＩＳＰモードをＯＶＦに設定し、処理をＳ５０５へ進める。
ここで、ＤＩＳＰモードは、ユーザによる画像表示スイッチ１３４のオンオフ操作により設定されるものである。具体的には、システム制御部１５７は、ユーザにより画像表示スイッチ１３４がオンされた場合に、ＥＶＦの設定指示を受け付け、ユーザにより画像表示スイッチ１３４がオフされた場合に、ＯＶＦの設定指示を受け付ける。すなわち、Ｓ５０１の処理は、設定指を受け付ける受付処理の一例である。また、Ｓ５０３及びＳ５１３の処理は、設定処理の一例である。
【００３５】
Ｓ５０５において、システム制御部１５７は、シャッターボタン１３２が押されたか否かを判定する。システム制御部１５７は、シャッターボタン１３２が押されていない場合には（Ｓ５０５でＮＯ）、撮影モード処理を終了する。一方、システム制御部１５７は、シャッターボタン１３２が押された場合には（Ｓ５０５でＹＥＳ）、撮影指示を受け付け（受付処理）、処理をＳ５０６へ進める。Ｓ５０６において、システム制御部１５７は、アウトカメラ１１０による撮影と、撮影により得られた撮影画像の記録を指示する。これに対応し、アウトカメラ１１０は、撮影処理を行い、撮影画像が取得される。そして、撮影により得られた撮影画像は、メモリ制御部１５３を介してメモリ１５４に格納される。
【００３６】
次に、Ｓ５０７において、システム制御部１５７は、ＤＩＳＰモードを特定する（特定処理）。システム制御部１５７は、ＤＩＳＰモードがＯＶＦである場合には（Ｓ５０７でＯＶＦ）、インカメラ１２０による撮影を行わないと判断し、撮影モード処理を終了する。一方、Ｓ５０７において、システム制御部１５７は、ＤＩＳＰモードがＥＶＦである場合には（Ｓ５０７でＥＶＦ）、処理をＳ５０８へ進める。
ＯＶＦでは、撮影者は、接眼ファインダ１３８から被写体を確認して、撮影を行う。この場合に、インカメラ１２０による撮影を行うこととすると、インカメラ１２０は、撮影者の顔の一部を撮影することとなる。すなわち、不要な撮影画像が得られることとなる。そこで、ＯＶＦにおいては、インカメラ１２０による撮影を行わないこととする。
なお、反転状態においては、インカメラ１２０は、ＯＶＦにおいても、撮影者の顔の一部を撮影することとはならない。しかし、前述の通り、インカメラ１２０により撮影される画像は、アウトカメラ１１０により撮影される画像と同様の画像となり、やはり不要な画像となってしまう。そこで、ＯＶＦにおいては、システム制御部１５７は、インカメラ１２０による撮影を行わないこととする。ここで、Ｓ５０７の処理は、ＤＩＳＰモードにより、インカメラ１２０による撮影を行うか否かを判断する判断処理の一例である。
【００３７】
Ｓ５０８において、システム制御部１５７は、表示ユニット１０２の状態を特定する。システム制御部１５７は、表示ユニットの状態が閉状態又は反転状態である場合には（Ｓ５０８で閉状態又は反転状態）、インカメラ１２０による撮影を行わないと判断し、撮影モード処理を終了する。一方、システム制御部１５７は、表示ユニット１０２の状態が正位置又は開状態である場合には（Ｓ５０８で正位置又は開状態）、処理をＳ５０９へ進める。
なお、表示ユニット１０２の各状態は、表示ユニット１０２の位置（本体１０１に対する相対的な位置）及び表示ユニット１０２の向く方向（本体１０１に対する相対的な方向）が異なっている。さらに、表示ユニット１０２の向く方向に従い、インカメラ１２０の撮影方向が定まる。すなわち、Ｓ５０８の処理は、インカメラ１２０の撮影方向を特定する特定処理の一例である。
【００３８】
閉状態においては、インカメラ１２０は、本体１０１に面しており、適切な撮影画像を得ることができない。また、反転状態においては、インカメラ１２０の撮影方向は、アウトカメラ１１０の撮影方向とほぼ方向となっている。そこで、閉状態又は反転状態の場合には、システム制御部１５７は、インカメラ１２０による撮影を行わないこととする。ここで、Ｓ５０８の処理は、表示ユニット１０２の状態、すなわち撮影方向に基づいてインカメラ１２０による撮影を行うか否かを判断する判断処理の一例である。
なお、反転状態において、アウトカメラ１１０の撮影方向とインカメラ１２０の撮影方向とのなす角度は、予め設定された角度閾以下の値であるものとする。すなわち、Ｓ５０８の処理は、システム制御部１５７は、アウトカメラ１１０の撮影方向とインカメラ１２０の撮影方向とのなす角度が、予め設定された角度閾以下である場合に、インカメラ１２０による撮影を行わないと判断する判断処理の一例である。
Ｓ５０９において、システム制御部１５７は、インカメラ１２０による撮影と、撮影により得られた撮影画像の記録を指示する。これに対応し、インカメラ１２０は、撮影処理を行う。そして、撮影により得られた撮影画像は、メモリ制御部１５３を介してメモリ１５４に格納される。以上で、撮影モード処理は終了する。
【００３９】
以上のように、第１の実施形態にかかるデジタルカメラ１００においては、２つの撮影手段を備える撮影装置において、撮影者の顔の一部が撮影されるのを防ぐことができる。また、本実施形態にかかるデジタルカメラ１００においては、アウトカメラ１１０とインカメラ１２０が同じ撮影方向を向くことにより、同じような撮影画像が２つ得られるのを防ぐことができる。すなわち、本実施形態のデジタルカメラ１００は、無駄な撮影を制限することができる。
【００４０】
第１の実施形態にかかるデジタルカメラ１００の変更例について説明する。第１の変更例としては、本実施形態にかかるデジタルカメラ１００は、ＤＩＳＰモード（撮影モード）と、表示ユニット１０２の位置（撮影方向）とに基づいてインカメラ１２０による撮影を行うか否かを判断したが、これに限定されるものではない。他の例としては、デジタルカメラ１００は、ＤＩＳＰモードのみに基づいて、インカメラ１２０による撮影を行うか否かを判断してもよい。また、他の例としては、デジタルカメラ１００は、撮影モードのみに基づいて、インカメラ１２０による撮影を行うか否かを判断してもよい。
【００４１】
第２の変更例としては、システム制御部１５７は、検出部１６３の検出結果に基づいてインカメラ１２０の撮影方向を特定してもよい。そして、システム制御部１５７は、インカメラ１２０の撮影方向とアウトカメラ１１０の撮影方向とがなす角の角度が角度閾値以下である場合に、インカメラ１２０による撮影を行わないと判断してもよい。
【００４２】
（第２の実施形態）
次に、第２の実施形態にかかるデジタルカメラ１００について説明する。第２の実施形態にかかるデジタルカメラ１００は、撮影者が接眼ファインダ１３８を覗いたか否かによりインカメラ１２０による撮影を行うか否かを判断する。以下、第２の実施形態にかかるデジタルカメラ１００について、第１の実施形態にかかるデジタルカメラ１００と異なる部分を説明する。
図６は、第２の実施形態にかかるデジタルカメラ１００の外観図である。本実施形態にかかるデジタルカメラ１００は、撮影者が接眼ファインダ１３８を覗いたことを検出する接眼検知センサ６００をさらに備える。接眼検知センサ６００は、接眼ファインダ１３８の近傍に備えられている。接眼検知センサ６００は、近くに物体を検出したときに出力がＯＮになる。システム制御部１５７は、接眼検知センサ６００の出力がＯＮになった場合に、撮影者が接眼ファインダ１３８を覗いていると判定する。
【００４３】
図７は、第２の実施形態にかかるデジタルカメラ１００による、撮影モード処理（Ｓ４１０）における詳細な処理を示すフローチャートである。なお、第１の実施形態にかかる撮影モード処理におけるステップと同じステップには、同じ番号を付している。
Ｓ７０１において、システム制御部１５７は、接眼検知センサ６００の出力に基づいて、撮影者が接眼ファインダ１３８を覗いているか否かを確認する。システム制御部１５７は、撮影者が接眼ファインダ１３８を覗いていることを検出した場合には（Ｓ７０１でＹＥＳ）、処理をＳ７０５へ進める。システム制御部１５７は、撮影者が接眼ファインダ１３８を覗いていることを検出しない場合には（Ｓ７０１でＮＯ）、処理をＳ５０２へ進め、スルー画像を表示する。この場合、電子ビューファインダ（ＥＶＦ）による撮影が行われる。ここで、Ｓ７０１の処理は、撮影者が接眼ファインダを覗いたことを検出する検出処理の一例である。
【００４４】
システム制御部１５７は、Ｓ５０２において、スルー画像を表示した後、処理をＳ７０２へ進める。Ｓ７０２において、システム制御部１５７は、接眼モードをＯＦＦに設定し、処理をＳ７０３へ進める。Ｓ７０３において、システム制御部１５７は、検出部１６３により検出された方向に基づいて、表示ユニット１０２の状態を特定する。システム制御部１５７は、表示ユニット１０２の状態が閉状態である場合には（Ｓ７０３で閉状態）、処理をＳ７０５へ進める。システム制御部１５７は、表示ユニット１０２の状態が反転状態である場合には（Ｓ７０３で反転状態）、処理をＳ５１４へ進める。システム制御部１５７は、表示ユニット１０２の状態が正位置又は開状態である場合には（Ｓ７０３で正位置又は開位置）、処理をＳ５０５へ進める。
Ｓ７０５において、システム制御部１５７は、接眼ファインダ１３８内部に「インカメラ撮影しません」といった警告通知を表示する。このように、Ｓ７０５において、システム制御部１５７は、表示部１３０ではなく、接眼ファインダ１３８内部に警告通知を表示する。これは、撮影者が接眼ファインダ１３８を覗いている場合には、撮影者は、表示部１３０の表示内容を確認することができないためである。
さらに、システム制御部１５７は、Ｓ５１２において、警告表示をＯＦＦした後、処理をＳ７０６へ進める。Ｓ７０６において、システム制御部１５７は、接眼モードをＯＮに設定し、処理をＳ５０５へ進める。
【００４５】
システム制御部１５７は、Ｓ５０６において、アウトカメラ１１０による撮影と記録を指示した後、処理をＳ７０４へ進める。Ｓ７０４において、接眼モードのＯＮ／ＯＦＦを確認する。システム制御部１５７は、接眼モードがＯＮの場合には（Ｓ７０４でＯＮ）、インカメラ１２０による撮影を行わないと判断し、撮影モード処理を終了する。すなわち、システム制御部１５７は、接眼モードがＯＮの場合には、インカメラ１２０による撮影を行わないと判断する。
一方、システム制御部１５７は、接眼モードがＯＦＦの場合には（Ｓ７０４でＯＦＦ）、処理をＳ５０８へ進める。なお、Ｓ７０４の処理は、接眼モードのＯＮ／ＯＦＦによりインカメラ１２０による撮影を行うか否かを判断する判断処理の一例である。
接眼モードがＯＮの状態においては、撮影者は接眼ファインダ１３８を覗いている。このため、インカメラ１２０による撮影を行った場合には、撮影者の顔の一部が撮影されてしまい、不要な撮影画像が得られることとなる。そこで、本実施形態にかかるデジタルカメラ１００においては、接眼モードがＯＮの場合には、インカメラ１２０による撮影を行わないこととした。これにより、無駄な撮影を制限することができる。
なお、第２の実施形態にかかるデジタルカメラ１００のこれ以外の構成及び処理は、第１の実施形態にかかるデジタルカメラ１００の構成及び処理と同様である。
【００４６】
（第３の実施形態）
次に、第３の実施形態について説明する。第３の実施形態にかかるデジタルカメラ１００について説明する。第３の実施形態にかかるデジタルカメラ１００は、撮影設定が予め定められた特定撮影である場合には、インカメラ１２０の撮影を行わない。ここで、特定撮影は、例えばメモリ１５４等の予め格納されているものとする。
特定撮影としては、例えばセルフタイマー撮影、連写撮影、長秒撮影、夜景撮影が挙げられる。セルフタイマー撮影を、インカメラ１２０の撮影を行わない特定撮影とするのは、撮影者自身もアウトカメラ１１０による撮影の被写体となるべく移動する可能性が高く、インカメラ１２０により撮影者を撮影する必要がないからである。連写撮影を特定撮影とするのは、撮影間隔の短縮とメモリ消費量を抑えるためである。長秒撮影、夜景撮影を特定撮影とするのは、周囲が暗くインカメラ１２０により撮影された画像が暗くなるためである。
【００４７】
図８は、第３の実施形態にかかるデジタルカメラ１００による、撮影モード処理（Ｓ４１０）における詳細な処理を示すフローチャートである。なお、第１の実施形態にかかる撮影モード処理におけるステップと同じステップには、同じ番号を付している。
Ｓ８０１において、システム制御部１５７は、デジタルカメラ１００の撮影設定の種類を判定し、インカメラ撮影フラグを設定する。例えば、デジタルカメラ１００の撮影設定の種類が、セルフタイマー撮影、連写撮影、長秒撮影、夜景撮影のときはインカメラ撮影フラグをＯＦＦにする。
次に、Ｓ８０２において、インカメラ撮影フラグを確認する。システム制御部１５７は、インカメラ撮影フラグにＯＦＦが設定されている場合には（Ｓ８０２でＯＦＦ）、処理をＳ５１４へ進める。一方、システム制御部１５７は、インカメラ撮影フラグにＯＮが設定されている場合には（Ｓ８０２でＯＮ）、処理をＳ５０５へ進める。
【００４８】
また、システム制御部１５７は、Ｓ５０８において、表示ユニット１０２の位置が正位置又は開状態である場合には（Ｓ５０８で正位置又は開状態）、処理をＳ８０３へ進める。
Ｓ８０３において、システム制御部１５７は、インカメラ撮影フラグを確認する。システム制御部１５７は、インカメラ撮影フラグにＯＦＦが設定されている場合には（Ｓ８０３でＯＦＦ）、インカメラ１２０による撮影を行わないと判断し、撮影モード処理を終了する。すなわち、システム制御部１５７は、特定撮影が設定されている場合には、インカメラ１２０による撮影を行わないと判断する。一方、システム制御部１５７は、インカメラ撮影フラグにＯＮが設定されている場合には（Ｓ８０２でＯＮ）、処理をＳ５０９へ進める。
なお、第３の実施形態にかかるデジタルカメラ１００のこれ以外の構成及び処理は、他の実施形態にかかるデジタルカメラ１００の構成及び処理と同様である。
【００４９】
＜その他の実施形態＞
また、本発明は、以下の処理を実行することによっても実現される。即ち、上述した実施形態の機能を実現するソフトウェア（プログラム）を、ネットワーク又は各種記憶媒体を介してシステム或いは装置に供給する。そして、そのシステム或いは装置のコンピュータ（又はＣＰＵやＭＰＵ等）がプログラムを読み出して実行する処理である。
【００５０】
以上、上述した各実施形態によれば、２つの撮影手段を備える撮影装置において、無駄な撮影を制限することができる。
【００５１】
以上、本発明の好ましい実施形態について詳述したが、本発明は係る特定の実施形態に限定されるものではない。それぞれの実施形態を組み合わせて実現してもよく、特許請求の範囲に記載された本発明の要旨の範囲内において、種々の変形・変更が可能である。
また、上述した各実施形態では、２つの撮影手段を備える撮影装置を例に説明した。しかし、２つの撮影手段を備える撮影装置と、撮影装置で撮影した画像を表示する表示装置、撮影装置で撮影した画像を記録する画像記録装置を接続したシステムにより本発明を実現してもよい。その場合、撮影装置、表示装置、画像記録装置のいずれかに設けられているシステム制御部が、システム全体の制御を行うことにより上述の実施形態で説明したフローチャートを実現するように、それぞれの装置を制御するように構成するとよい。
【符号の説明】
【００５２】
１００  デジタルカメラ、１１０  アウトカメラ、１２０  インカメラ、１３０  表示部、１３２  シャッターボタン、１３３  モード切替スイッチ、１３４  画像表示スイッチ、１５７  システム制御部、１６３  検出部、６００  接眼検知センサ
【図１】
2015133601.tif 000003
【図２】
2015133601.tif 000004
【図３】
2015133601.tif 000005
【図４】
2015133601.tif 000006
【図５】
2015133601.tif 000007
【図６】
2015133601.tif 000008
【図７】
2015133601.tif 000009
【図８】
2015133601.tif 000010